(57)【要約】【課題】  階下に対する遮音性能を高め、パネル部材の端面側での雑音や騒音の発生を抑制できるようにすること。【解決手段】  防音室１０は、載置面Ｆ上に設けられた複数枚のパネル部材１５を備えた床１１と、この床１１を囲う位置から立設する複数枚の壁パネル１２とを含んで構成されている。パネル部材１５は、隣り合うパネル部材１５及び又は壁パネル１２との間に隙間Ｓを介して配置されている。隙間Ｓの内部には閉塞部材２４を設けられ、隙間Ｓからの音漏れやパネル部材１５の端面同士の擦れ合いを抑制する。【選択図】      図１
2006233543.tif 000002
【特許請求の範囲】
【請求項１】
所定の載置面上に載置された複数枚のパネル部材を含む床構造において、
前記各パネル部材は、隣り合うパネル部材の間に隙間を介して配置され、この隙間の内部に閉塞部材を設けたことを特徴とする床構造。
【請求項２】
防音室を形成する壁パネルで囲まれる領域内の載置面上に載置された複数枚のパネル部材を含む床構造において、
前記各パネル部材は、隣り合うパネル部材及び又は壁パネルとの間に隙間を介して配置され、この隙間の内部に閉塞部材を設けたことを特徴とする床構造。
【請求項３】
前記各パネル部材は、平面視で略方形状に形成されるとともに、その直交する二辺に沿う方向に複数列それぞれ設けられ、
前記閉塞部材は、各パネル部材における少なくとも直交する二辺に沿う端面に取り付けられていることを特徴とする請求項１又は２記載の床構造。
【請求項４】
前記各パネル部材は、平面視で略方形状に形成されるとともに、その直交する二辺に沿う方向に複数列それぞれ設けられ、
前記閉塞部材は、平面視で各パネル部材の四辺に沿う端面側に配置されていることを特徴とする請求項１又は２記載の床構造。
【発明の詳細な説明】
【技術分野】
【０００１】
本発明は、床構造に係り、更に詳しくは、遮音性能を向上させることができる床構造に関する。
【背景技術】
【０００２】
近時、既に居住している住宅内にリフォーム等を行うことなく設置可能な防音室が利用されている。このような防音室では、図５に示されるように、複数枚のパネルを相互に連結して壁５１や天井（図示省略）を形成するとともに、壁で囲まれる領域内に複数枚のパネル部材５２を並設することで床５３を形成する。パネル部材５２の裏面には、弾性体からなる突起状の脚部材５４が複数設けられている。ここで、パネル部材５２の平面サイズは、隣り合うパネル部材５２や壁５１との間に数ミリ幅の隙間Ｓが生じるように形成され、組み立て時における壁５１等の寸法誤差に対応できるようになっている。
【発明の開示】
【発明が解決しようとする課題】
【０００３】
しかしながら、前記床５３にあっては、隙間Ｓの幅が大きくなると、防音室内で発生した音が隙間Ｓを通じて漏れ易くなり、これにより、階下に対する遮音性能が低下するという不都合を生じる。
一方、パネル部材５２は、端部寄りの領域に荷重が付与されたときに、脚部材５４の圧縮変形や、パネル部材５２が配置される載置面の傾き等に起因して、上下にずれたり傾いたりする。このとき、前記隙間Ｓの幅が小さいと、隣り合うパネル部材５２の端面同士や当該端面と壁５１とが擦れ合い、騒音や雑音が発生するという不都合を招来する。
【０００４】
［発明の目的］
本発明は、このような点に着目して案出されたものであり、その目的は、階下に対する遮音性能を高めることができ、また、パネル部材の端面側での擦過音の発生を抑制することができる床構造を提供することにある。
【課題を解決するための手段】
【０００５】
前記目的を達成するため、本発明は、所定の載置面上に載置された複数枚のパネル部材を含む床構造において、
前記各パネル部材は、隣り合うパネル部材の間に隙間を介して配置され、この隙間の内部に閉塞部材を設ける、という構成が採用されている。
【０００６】
また、本発明は、防音室を形成する壁パネルで囲まれる領域内の載置面上に載置された複数枚のパネル部材を含む床構造において、
前記各パネル部材は、隣り合うパネル部材及び又は壁パネルとの間に隙間を介して配置され、この隙間の内部に閉塞部材を設ける、という構成も採用される。
【０００７】
本発明において、前記各パネル部材は、平面視で略方形状に形成されるとともに、その直交する二辺に沿う方向に複数列それぞれ設けられ、
前記閉塞部材は、各パネル部材における少なくとも直交する二辺に沿う端面に取り付ける、という構成を採ることが好ましい。
【０００８】
また、前記各パネル部材は、平面視で略方形状に形成されるとともに、その直交する二辺に沿う方向に複数列それぞれ設けられ、
前記閉塞部材は、平面視で各パネル部材の四辺に沿う端面側に配置される、という構成も好ましくは採用される。
【発明の効果】
【０００９】
本発明によれば、閉塞部材によって隙間を介した音漏れを抑制することができ、載置面及びその下方に対する遮音性能を向上させることができる。また、各パネル部材の端面同士や当該端面と壁パネルとが直接接して擦れることを防止でき、雑音や騒音の発生原因を有効に回避可能となる。
【００１０】
また、パネル部材の端面に閉塞部材が予め取り付けられた状態で各パネル部材を並べて載置することができ、これにより、隙間内に閉塞部材を容易且つ迅速に配置することができる。特に、直交する二辺に沿う端面に閉塞部材を取り付けた場合、隣り合うパネル部材の閉塞部材同士が干渉することを回避して施工性を向上させつつ、壁パネルと、当該壁パネルに隣り合うパネル部材の端面との間の全ての隙間に閉塞部材を簡単に配置することが可能となる。
【００１１】
更に、パネル部材の四辺に沿う端面側に閉塞部材を設けた場合、略全ての隙間が閉塞されるので、隙間を通じる音を極力少なくしてより良い遮音性能を得ることができ、且つ、パネル部材同士が擦れ合うこともより良く回避することが可能となる。
【発明を実施するための最良の形態】
【００１２】
以下、本発明の実施の形態について図面を参照しながら説明する。
【００１３】
図１には、実施形態に係る床構造が防音室の部分断面図が示されている。この図において、防音室１０は、本実施形態では、既設の住宅や建物の室内で組み立て可能ないわゆるノックダウンタイプとされ、室内の床面を形成するフローリング等の載置面Ｆ上に設置される。防音室１０は、載置面Ｆ上に設けられた床１１と、この床１１を囲う位置から立設する複数枚の壁パネル１２と、この壁パネル１２の上方に設けられた図示しない天井パネルとを備えて構成されている。
【００１４】
前記床１１は、載置面Ｆ上に配置された底床パネル１４と、この底床パネル１４の上面に載置された複数枚のパネル部材１５と、当該パネル部材１５の上面に配置されたカーペット等からなる仕上げ部材１６とを備えて構成されている。
【００１５】
前記各パネル部材１５は、図２にも示されるように、平面視略正方形状に形成された本体板１８と、この本体板１８の図１中下面における左右両側にそれぞれ設けられた一対の下部形成板１９，１９と、各下部形成体１９，１９の間における本体板１８の下面に接着されたグラスウールや発泡体からなる吸音材２１と、各下部形成板１９，１９の下面にそれぞれ複数設けられるとともに、ゴム等の弾性体からなる脚部材２２とを備えて構成されている。図３に示されるように、各パネル部材１５は、その直交する二辺に沿う方向すなわち同図中上下方向及び左右方向に沿って複数列それぞれ設けられ、本実施形態では、左右方向に２列、上下方向に３列設けられている。パネル部材１５の平面サイズは、隣り合うパネル部材１５及び壁パネル１２の内面との間に約５ｍｍ幅の隙間Ｓが生じるように設定されている。ここで、パネル部材１５の直交する二辺に沿う端面、すなわち、図２中上側と左側の端面には、閉塞部材２４が設けられている。
【００１６】
前記閉塞部材２４は、隙間Ｓの設計寸法よりも大きい幅の細長い部材により形成されるとともに、発泡体や軟質樹脂等、隙間Ｓの幅に追従して弾性的に変形可能な材料を用いて構成されている。閉塞部材２４は、防音室１０の組み立て前に、接着等の手段を介して本体板１８の端面に予め取り付けられている。
【００１７】
以上の構成において、防音室１０を組み立てる場合、先ず、載置面Ｆ上に底床パネル１４を敷設した後、各壁パネル１２及び天井パネル（図示省略）を設置する。次いで、図３に示されるように、壁パネル１２で囲まれる領域内において、隣り合うパネル部材１５同士の間に隙間Ｓが形成されるように各パネル部材１５を並べて載置する。このとき、床１１のコーナー側に位置するパネル部材１５については、当該コーナーを形成する二枚の壁パネル１２に閉塞部材２４がそれぞれ接するように配置する。一方、それ以外のパネル部材１５については、パネル部材１５の一辺に沿う閉塞部材２４が壁パネル１２に接し、他の一辺に沿う閉塞部材２４が隣り合う何れかのパネル部材１５に接するように配置する。その後、各パネル部材１５上に仕上げ部材１６（図１参照）を敷くことにより床１１が完成する。
【００１８】
従って、このような実施形態によれば、各パネル部材１５の閉塞部材２４により、隣り合うパネル部材１５，１５間の隙間Ｓを部分的に閉塞しつつ、パネル部材１５と壁パネル１２との間の隙間Ｓの略全てを閉塞することができる。これにより、隙間Ｓを通じて載置面Ｆ側に音が漏れることを抑制でき、特に、壁パネル１２側における床１１の遮音性能を高めることが可能となる。また、閉塞部材２４が配置された隙間Ｓの幅が一定量確保され、仮に、パネル部材１５に荷重が付与されて傾いたりした場合であっても、パネル部材１５の端面同士が擦れることを防止することができる。しかも、閉塞部材２４を前述した向きとしてパネル部材１５を配置することにより、隣り合うパネル部材１５，１５の閉塞部材２４同士を非干渉とすることができ、各パネル部材１５をスムースに載置することが可能となる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
【００２０】
例えば、閉塞部材２４の配置領域は、種々の設計変更が可能であり、図４に示されるように、平面視で各パネル部材１５の四辺に沿う端面側に配置してもよく、これにより、隙間Ｓからの音漏れや、パネル部材１５の端面の擦れ合いをより良く回避することが可能となる。このとき、各パネル部材１５を載置面Ｆ上に載置した後、隙間Ｓを充填するように閉塞部材２４を設けてもよい。
また、パネル部材１５の平面形状は、略長方形状等にしてもよく、パネル部材１５の枚数も複数枚である限りにおいて変更可能である。
【図面の簡単な説明】
【００２１】
【図１】実施形態に係る床構造が適用された防音室の部分断面図。
【図２】前記床構造を構成するパネル部材を裏側から見た図。
【図３】前記床の仕上げ部材を省略した平面図。
【図４】変形例に係る図３と同様の平面図。
【図５】従来例に係る図１と同様の断面図。
【符号の説明】
【００２２】
１０・・・防音室、１１・・・床、１２・・・壁パネル、１５・・・パネル部材、２４・・・閉塞部材、Ｆ・・・載置面、Ｓ・・・隙間
【図１】
2006233543.tif 000003
【図２】
2006233543.tif 000004
【図３】
2006233543.tif 000005
【図４】
2006233543.tif 000006
【図５】
2006233543.tif 000007